(57)【特許請求の範囲】
【請求項１】
無線通信システムにおいてフレームを送信する方法であって、
第１タイプのステーション（ＳＴＡ）に対する第１部分及び第２タイプのＳＴＡに対する第２部分を有するフレームを準備する段階であり、前記第２部分は共通制御情報に対する第１シグナリングフィールド（ＨＥ−ＳＩＧ  Ａ）及び使用者特定制御情報を含むシグナリング情報に対する第２シグナリングフィールド（ＨＥ−ＳＩＧ  Ｂ）を含む；及び
前記準備されたフレームを一つ以上のＳＴＡに送信する段階を含み；
前記フレームは、８０ＭＨｚ以上の帯域幅で送信され、
前記第２シグナリングフィールド（ＨＥ−ＳＩＧ  Ｂ）に対する第１シグナリング情報は第１の２０ＭＨｚチャネルで送信され、前記第２シグナリングフィールド（ＨＥ−ＳＩＧ  Ｂ）に対する第２シグナリング情報は第２の２０ＭＨｚチャネルで送信され、前記第１シグナリング情報及び前記第２シグナリング情報は互いに独立であり、
前記第１シグナリング情報は、第１リソース領域に対するリソース割当て情報を含み、前記第２シグナリング情報は第２リソース領域に対するリソース割当て情報を含み、
前記第１の２０ＭＨｚチャネル及び前記第２の２０ＭＨｚチャネルは第１の４０ＭＨｚチャネル内にあり、
前記第１の４０ＭＨｚチャネル内で送信される前記第１シグナリング情報及び前記第２シグナリング情報は、第２の４０ＭＨｚチャネルで複製される、方法。
【請求項２】
前記第１シグナリング情報及び前記第２シグナリング情報は、８０ＭＨｚ帯域幅内の２０ＭＨｚチャネル毎に交互に送信される、請求項１に記載の方法。
【請求項３】
前記第１シグナリング情報は、前記第２の４０ＭＨｚチャネル内の第３の２０ＭＨｚチャネルを通じて送信され、
前記第２シグナリング情報は、前記第２の４０ＭＨｚチャネル内の第４の２０ＭＨｚチャネルを通じて送信される、請求項１に記載の方法。
【請求項４】
フレームが１６０ＭＨｚ帯域幅で送信されるとき、前記第２の４０ＭＨｚチャネルを通じて送信される前記第１シグナリング情報及び前記第２シグナリング情報は、第３及び第４の４０ＭＨｚチャネル内でさらに複製される、請求項３に記載の方法。
【請求項５】
前記第１シグナリングフィールド（ＨＥ−ＳＩＧ  Ａ）の共通制御情報は２０ＭＨｚチャネルごとに複製される、請求項１に記載の方法。
【請求項６】
前記使用者特定制御情報は下りリンクＯＦＤＭＡ（ｏｒｔｈｏｇｏｎａｌ  ｆｒｅｑｕｅｎｃｙ  ｄｉｖｉｓｉｏｎａｌ  ｍｕｌｔｉｐｌｅ  ａｃｃｅｓｓ）に対してそれぞれのステーション（ＳＴＡ）に対するリソース単位割当て及びＭＣＳ（ｍｏｄｕｌａｔｉｏｎ  ａｎｄ  ｃｏｄｉｎｇ  ｓｃｈｅｍｅ）を含む、請求項１に記載の方法。
【請求項７】
前記第２シグナリングフィールド（ＨＥ  ＳＩＧ  Ｂ）のシグナリング情報は共通制御情報部分及び使用者特定制御情報部分を含む、請求項１に記載の方法。
【請求項８】
前記第１シグナリングフィールド（ＨＥ−ＳＩＧ  Ａ）の共通制御情報は前記第２シグナリングフィールド（ＨＥ−ＳＩＧ  Ｂ）に対するリソース割当て情報を含む、請求項１に記載の方法。
【請求項９】
前記フレームの第１部分は２０ＭＨｚチャネルごとに複製される、請求項１に記載の方法。
【請求項１０】
前記第２シグナリングフィールドは使用者特定制御情報及びその後の一つ以上のテールビットを含み、前記テールビットの後には一つ以上のパッディングビットが続く、請求項１に記載の方法。
【請求項１１】
無線通信システムにおいてフレームを受信する方法であって、
第１タイプのステーション（ＳＴＡ）に対する第１部分及び前記第２タイプのＳＴＡに対する第２部分を有するフレームを受信する段階を含み、
前記第２部分は共通制御情報に対する第１シグナリングフィールド（ＨＥ−ＳＩＧ  Ａ）及び使用者特定制御情報を含むシグナリング情報に対する第２シグナリングフィールド（ＨＥ−ＳＩＧ  Ｂ）を含み、
前記フレームは、８０ＭＨｚ以上の帯域幅で送信され、
前記第２シグナリングフィールド（ＨＥ−ＳＩＧ  Ｂ）に対する第１シグナリング情報は第１の２０ＭＨｚチャネルで受信され、前記第２シグナリングフィールド（ＨＥ−ＳＩＧ  Ｂ）に対する第２シグナリング情報は第２の２０ＭＨｚチャネルで受信され、前記第１シグナリング情報及び前記第２シグナリング情報は互いに独立であり、
前記第１シグナリング情報は、第１リソース領域に対するリソース割当て情報を含み、前記第２シグナリング情報は第２リソース領域に対するリソース割当て情報を含み、
前記第１の２０ＭＨｚチャネル及び前記第２の２０ＭＨｚチャネルは第１の４０ＭＨｚチャネル内にあり、
前記第１の４０ＭＨｚチャネル内で送信される前記第１シグナリング情報及び前記第２シグナリング情報は、第２の４０ＭＨｚチャネルで複製される、方法。
【請求項１２】
前記第２シグナリングフィールドは前記使用者特定制御情報及びその後の一つ以上のテールビットを含み、前記テールビットの後には一つ以上のパッディングビットが続く、請求項１１に記載の方法。
【請求項１３】
前記第２タイプのＳＴＡが、前記テールビットまで前記第２シグナリングフィールドをデコードする、請求項１２に記載の方法。
【発明の詳細な説明】
【技術分野】
【０００１】
次の説明は無線通信システムに関するもので、より詳しくはＷＬＡＮ（ｗｉｒｅｌｅｓｓ  ｌｏｃａｌ  ａｃｃｅｓｓ  ｎｅｔｗｏｒｋ）においてＨＥ−ＳＩＧ  Ｂを含むフレームを送受信する方法及び装置に関するものである。
【背景技術】
【０００２】
情報通信技術の急速な発達で多様な無線通信技術システムが開発されてきた。無線通信技術のうちＷＬＡＮ技術は無線周波数（ＲＦ）技術に基づいてＰＤＡ（ｐｅｒｓｏｎａｌ  ｄｉｇｉｔａｌ  ａｓｓｉｓｔａｎｔ）、ラップトップコンピュータ、ＰＭＰ（ｐｏｒｔａｂｌｅ  ｍｕｌｔｉｍｅｄｉａ  ｐｌａｙｅｒ）などの移動端末を用いて、家、会社又は特定サービス提供地域での無線インターネットアクセスを許容する。
【０００３】
ＷＬＡＮの利点の一つとして、制限された通信速度を防止するために、最近の技術標準は無線ネットワークのカバレージ領域を同時に延ばしながらネットワークの速度及び信頼性を向上させることができる進歩したシステムを提案してきた。例えば、ＩＥＥＥ  ８０２．１１ｎはデータ処理速度が５４０Ｍｂｐｓの最大ＨＴ（ｈｉｇｈ  ｔｈｒｏｕｇｈｐｕｔ）を支援することができるようにする。また、最近にはＭＩＭＯ（ｍｕｌｔｉｐｌｅ  ｉｎｐｕｔ  ｍｕｌｔｉｐｌｅ  ｏｕｔｐｕｔ）技術が送信機及び受信機に適用されることで、送信エラーを最小化するだけでなくデータ伝送速度を最適化する。
【０００４】
また、ＩＥＥＥ  ８０２．１１ａｃ標準は一般的に５ＧＨｚ帯域で動作し、１Ｇｂｉｔ／ｓ以上のデータレートを提供する。ＩＥＥＥ  ８０２．１１ａｃは下りリンク多重使用者（ｍｕｌｔｉ−ｕｓｅｒ）ＭＩＭＯ（ＭＵ−ＭＩＭＯ）を支援する。ＩＥＥＥ  ８０２．１１ａｃを支援するシステムはＶＨＴ（ｖｅｒｙ  ｈｉｇｈ  ｔｈｒｏｕｇｈｐｕｔ）システムという。
【０００５】
ＩＥＥＥ  ８０２．１１ａｘは、より高いデータレート及びより高い使用者ロード（ｕｓｅｒ  ｌｏａｄ）をハンドリングするための次世代ＷＬＡＮとして開発されている。ＩＥＥＥ  ８０２．１１ａｘの範囲は、１）８０２．１１物理（ＰＨＹ）階層及びメディアアクセスコントロール（ＭＡＣ）階層の改善、２）スペクトラム効率及びエリアスループットの改善、３）干渉ソース下の環境、複雑な異種ネットワーク環境及び多い使用者（Ｕｓｅｒ）ロードを有する環境下での性能改善を含むことができる。
【０００６】
提案されたＷＬＡＮシステムは６ＧＨｚ以下の周波数帯域又は６０ＧＨｚの周波数帯域で動作することができる。６ＧＨｚ以下の周波数帯域は２．４ＧＨｚ帯域及び５ＧＨｚ帯域の少なくとも一つを含む。
【発明の概要】
【発明が解決しようとする課題】
【０００７】
ＩＥＥＥ  ８０２．１１ａｘ技術を支援するフレーム構造に対する論議がある。特に、システムが使用者にＭＵ／ＯＦＤＭＡサービスを提供するとき、使用者／ストリームに対する多数のシグナリングフィールドが送信できる。しかし、多数のシグナリングフィールドの送信のための詳細方式は未だ決定されなかった。
【０００８】
本発明の目的は前記問題点を解決するためにＨＥ−ＳＩＧ  Ｂを含むフレームの送受信方法及び装置を提供することである。
【０００９】
本発明によって達成される技術的目的は上述した技術的目的に制限されず、ここに記載しなかった他の技術的目的は、以下の説明から本発明が属する技術における当業者によって明らかになるであろう。
【課題を解決するための手段】
【００１０】
本発明の目的は、無線通信システムにおいて第２タイプのステーション（ＳＴＡ）のためにシグナリングフィールド（ＳＩＧ）を有するフレームを送信する方法であって、第１タイプのＳＴＡに対する第１部分及び前記第２タイプのＳＴＡに対する第２部分を有するフレームを準備する段階−前記第２部分は共通制御情報に対する第１シグナリングフィールド（ＨＥ−ＳＩＧ  Ａ）及び使用者特定制御情報を含むシグナリング情報に対する第２シグナリングフィールド（ＨＥ−ＳＩＧ  Ｂ）を含み、前記フレームの第１部分は互いに異なる第２シグナリングフィールド（ＨＥ−ＳＩＧ  Ｂ）に対する相異なるシグナリング情報を含み、前記フレームの第２部分は前記第１部分と前記第２シグナリングフィールド（ＨＥ−ＳＩＧ  Ｂ）に対する同一のシグナリング情報を含む−；及び前記準備されたフレームを一つ以上のＳＴＡに送信する段階を含む方法を提供することによって達成できる。
【００１１】
好ましくは、前記第１部分及び前記第２部分は周波数ドメインでインターレース（ｉｎｔｅｒｌａｃｅ）される。前記第１部分のそれぞれ及び前記第２部分のそれぞれは２０ＭＨｚ帯域幅を有することができる。
【００１２】
一例で、第２シグナリングフィールド（ＨＥ−ＳＩＧ  Ｂ）に対する独立シグナリング情報は第１の４０ＭＨｚ帯域幅内で２０ＭＨｚ帯域幅ごとに送信され、前記フレームが８０ＭＨｚ以上の帯域幅で送信されるとき、前記第１の４０ＭＨｚ帯域シグナリング情報は第２の４０ＭＨｚ帯域幅で複製される。
【００１３】
一例で、第２シグナリングフィールド（ＨＥ−ＳＩＧ  Ｂ）に対する第１シグナリング情報は第１の４０ＭＨｚ帯域幅の第１の２０ＭＨｚ帯域幅で送信され、第２シグナリングフィールド（ＨＥ−ＳＩＧ  Ｂ）に対する第２シグナリング情報は第１の４０ＭＨｚ帯域幅の第２の２０ＭＨｚ帯域幅で送信され、前記第１シグナリング情報及び前記第２シグナリング情報は独立シグナリング情報である。前記第１シグナリング情報は第２の４０ＭＨｚ帯域幅の第３の２０ＭＨｚ帯域幅で送信され、前記第２シグナリング情報は第２の４０ＭＨｚ帯域幅の第４の２０ＭＨｚ帯域幅で送信される。
【００１４】
また、一例で、フレームが１６０ＭＨｚ帯域幅で送信されるとき、前記第１の４０ＭＨｚ帯域幅のシグナリング情報が第３及び第４の４０ＭＨｚ帯域幅でさらに複製される。
【００１５】
好ましくは、前記第１シグナリングフィールド（ＨＥ−ＳＩＧ  Ａ）の共通制御情報は２０ＭＨｚ帯域幅ごとに複製される。
【００１６】
そして、前記使用者特定制御情報は下りリンクＯＦＤＭＡ（ｏｒｔｈｏｇｏｎａｌ  ｆｒｅｑｕｅｎｃｙ  ｄｉｖｉｓｉｏｎａｌ  ｍｕｌｔｉｐｌｅ  ａｃｃｅｓｓ）に対してそれぞれのステーション（ＳＴＡ）に対するリソース単位割当て及びＭＣＳ（ｍｏｄｕｌａｔｉｏｎ  ａｎｄ  ｃｏｄｉｎｇ  ｓｃｈｅｍｅ）を含むことができる。
【００１７】
前記第２シグナリングフィールド（ＨＥ  ＳＩＧ  Ｂ）のシグナリング情報は共通制御情報部分及び使用者特定制御情報部分を含むことができる。
【００１８】
前記第１シグナリングフィールド（ＨＥ−ＳＩＧ  Ａ）の共通制御情報は前記第２シグナリングフィールド（ＨＥ−ＳＩＧ  Ｂ）に対するリソース割当て情報を含むことができる。
【００１９】
前記フレームの第１部分は２０ＭＨｚ帯域幅ごとに複製されることができる。
【００２０】
一方、前記第２シグナリングフィールドは使用者特定制御情報及びその後の一つ以上のテールビットを含むことができ、前記テールビットの後には一つ以上のパッディングビットが続く。本発明の他の態様において、無線通信システムにおいて第２タイプのステーション（ＳＴＡ）によってシグナリングフィールド（ＳＩＧ）を有するフレームを受信する方法であって、第１タイプのＳＴＡに対する第１部分及び前記第２タイプのＳＴＡに対する第２部分を有するフレームを受信する段階を含み、前記第２部分は共通制御情報に対する第１シグナリングフィールド（ＨＥ−ＳＩＧ  Ａ）及び使用者特定制御情報を含むシグナリング情報に対する第２シグナリングフィールド（ＨＥ−ＳＩＧ  Ｂ）を含み、前記フレームの第１部分は互いに異なる第２シグナリングフィールド（ＨＥ−ＳＩＧ  Ｂ）に対する相異なるシグナリング情報を含み、前記フレームの第２部分は前記第１部分と前記第２シグナリングフィールド（ＨＥ−ＳＩＧ  Ｂ）に対する同一のシグナリング情報を含む方法が提案される。
【００２１】
前記第２シグナリングフィールドは前記使用者特定制御情報及びその後の一つ以上のテールビットを含むことができ、前記テールビットの後には一つ以上のパッディングビットが続く。
【００２２】
好ましくは、前記受信されたフレームをデコードする段階は、前記テールビットまで前記第２シグナリングフィールドをデコードする段階を含むことができる。
【００２３】
本発明の他の態様において、無線通信システムにおいて第２タイプのステーション（ＳＴＡ）のためにシグナリングフィールド（ＳＩＧ）を有するフレームを送信するように構成されたステーションであって、第１タイプのＳＴＡに対する第１部分及び前記第２タイプのＳＴＡに対する第２部分を有するフレームを準備するように構成されるプロセッサ−前記第２部分は共通制御情報に対する第１シグナリングフィールド（ＨＥ−ＳＩＧ  Ａ）及び使用者特定制御情報を含むシグナリング情報に対する第２シグナリングフィールド（ＨＥ−ＳＩＧ  Ｂ）を含み、前記プロセッサは、第１の４０ＭＨｚ帯域幅内で２０ＭＨｚ帯域幅ごとに第２シグナリングフィールド（Ｈｅ−ＳＩＧ  Ｂ）に対する独立シグナリング情報を含み、フレームが８０ＭＨｚ以上の帯域幅で送信されるとき、前記第１の４０ＭＨｚ帯域幅のシグナリング情報を第２の４０ＭＨｚ帯域幅で複製するように構成されるプロセッサ；及び前記プロセッサに接続され、前記準備されたフレームを一つ以上のＳＴＡに送信するように構成されるトランシーバを含むステーションが提供される。
【発明の効果】
【００２４】
本発明によると、ステーションはＩＥＥＥ  ８０２．１１ａｘシステムでより効率的に制御情報を送信することができる。
【００２５】
本発明で得られる効果は以上で言及した効果に制限されず、言及しなかった他の効果は下記の記載から本発明が属する技術分野で通常の知識を有する者に明らかに理解可能である。
【図面の簡単な説明】
【００２６】
本発明の更なる理解のために含まれる添付図面は本発明の多様な実施形態を示し、詳細な説明と一緒に本発明の原理を説明する機能をする。
【図１】本発明の一実施例によるＩＥＥＥ  ８０２．１１システムを例示的に示す図である。
【図２】本発明が適用可能なＩＥＥＥ  ８０２．１１システムの他の例示的な構造を示す図である。
【図３】本発明が適用可能なＩＥＥＥ  ８０２．１１システムの他の例示的な構造を示す図である。
【図４】ＷＬＡＮシステムの例示的な構造を示す図である。
【図５】ＩＥＥＥ  ８０２．１１ａｘに対する提案されたＰＰＤＵフォーマットの例を示す図である。
【図６】容易な参照のためにＩＥＥＥ  ８０２．１１ａ／ｇ／ｎ／ａｃによる多様なＰＰＤＵフォーマットを示す図である。
【図７】ＩＥＥＥ  ８０２．１１ａｘに対する提案されたＰＰＤＵの他の例を示す図である。
【図８】ＩＥＥＥ  ８０２．１１ａｘに対する提案されたＰＰＤＵのさらに他の例を示す図である。
【図９】ＰＰＤＵの分類のための位相回転の例を示す図である。
【図１０】ＨＥ−ＳＩＧ  Ｂの複製を用いた本発明の一例を示す図である。
【図１１】ＨＥ−ＳＩＧ  Ｂの独立送信を用いた本発明の他の例を示す図である。
【図１２】それぞれのＨＥ−ＳＩＧ  Ｂのシグナリング情報が時間ドメインで異なった長さを有するときの問題点に対する解決策を示す図である。
【図１３】それぞれのＨＥ−ＳＩＧ  Ｂのシグナリング情報が時間ドメインで異なった長さを有するときの問題点に対する解決策を示す図である。
【図１４】それぞれのＨＥ−ＳＩＧ  Ｂのシグナリング情報が時間ドメインで異なった長さを有するときの問題点に対する解決策を示す図である。
【図１５】ＨＥ−ＳＩＧ  Ｂ位置情報をシグナルする例を示す図である。
【図１６】チャネル指示ビット及びＧＩＤ間のマッピング関係を用いた例を示す図である。
【図１７】本発明の好適な実施例の例を示す図である。
【図１８】本発明の好適な実施例の例を示す図である。
【図１９】本発明の好適な実施例の例を示す図である。
【図２０】本発明の好適な実施例の例を示す図である。
【図２１】本発明の好適な実施例の例を示す図である。
【図２２】本発明の好適な実施例の例を示す図である。
【図２３】本発明の好適な実施例の例を示す図である。
【図２４】本発明の好適な実施例によるフレームの詳細構造を示す図である。
【図２５】本発明の実施例による無線装置のブロック図である。
【発明を実施するための形態】
【００２７】
以下、本発明の例を示す添付図面に基づいて本発明の好適な実施例を詳細に説明する。添付図面に基づく以下の詳細な説明は、本発明によって具現可能な唯一の実施例を示すよりはむしろ、本発明の例示的な実施例を説明しようとするものである。以下の詳細な説明は、本発明の徹底的な理解を提供するために特定の詳細事項を含む。しかし、本発明はこのような特定の詳細事項なしに実行可能であることは当業者に明らかであろう。
【００２８】
以下の実施例は、所定の形態により本発明の構成要素と特徴を結合したものである。それぞれの構成要素又は特徴は、別の明示的言及がない限り、選択的なものとして考慮することができる。各構成要素又は特徴は、他の構成要素や特徴と結合されない形態に実施可能である。また、一部の構成要素及び／又は特徴を結合して本発明の実施例を構成することもできる。本発明の実施例で説明する動作の順序は変更可能である。ある実施例の一部の構成や特徴は他の実施例に含まれることができ、又は他の実施例の対応する構成又は特徴に取り替えられることができる。
【００２９】
本発明に開示された特定の用語は説明の便宜及び本発明のより良い理解のために提案し、これらの特定用語の使用は本発明の技術的範囲又は思想内で他の形態に変更可能であることに留意しなければならない。
【００３０】
場合によって、本発明の概念があいまいになることを避けるために、公知の構造及び装置は省略するか、あるいはそれぞれの構造及び装置の核心機能を中心とするブロック図の形式で示すことができる。また、本明細書全般にわたって同じ構成要素に対しては同じ図面符号を付けて説明する。
【００３１】
本発明の実施例は無線接続システムであるＩＥＥＥ  ８０２システム、３ＧＰＰシステム、３ＧＰＰ  ＬＴＥ及びＬＴＥ−Ａ（ＬＴＥ−Ａｄｖａｎｃｅｄ）システム及び３ＧＰＰ２システムの少なくとも一つに開示された標準文書によって裏付けられることができる。すなわち、本発明の実施例において、本発明の技術的思想を明確に示すために、説明しなかった段階又は部分は前記文書によって裏付けられることができる。また、本文書で開示している全ての用語は前記標準文書の少なくとも一つによって裏付けられることができる。
【００３２】
本発明の以下の実施形態は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などの多様な無線接続システムに適用可能である。ＣＤＭＡはＵＴＲＡ（Ｕｎｉｖｅｒｓａｌ  Ｔｅｒｒｅｓｔｒｉａｌ  Ｒａｄｉｏ  Ａｃｃｅｓｓ）又はＣＤＭＡ２０００のような無線技術（ｒａｄｉｏ  ｔｅｃｈｎｏｌｏｇｙ）によって具現可能である。ＴＤＭＡはＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭＥ  ｖｏｌｕｔｉｏｎ）のような無線技術によって具現可能である。ＯＦＤＭＡはＩＥＥＥ  ８０２．１１（Ｗｉ−Ｆｉ）、ＩＥＥＥ  ８０２．１６（ＷｉＭＡＸ）、ＩＥＥＥ  ８０２−２０、及びＥ−ＵＴＲＡ（Ｅｖｏｌｖｅｄ  ＵＴＲＡ）によって具現可能である。明確性のために、以下ではＩＥＥＥ  ８０２．１１システムを主として説明するが、本発明の技術的思想がこれに制限されるものではない。
【００３３】
ＷＬＡＮシステム構造
図１は本発明の一実施例によるＩＥＥＥ  ８０２．１１システムを例示的に示す。
【００３４】
ＩＥＥＥ  ８０２．１１システムの構造は多数のコンポーネントを含むことができる。上位階層に対する透明なＳＴＡ移動度を支援するＷＬＡＮがコンポーネントの相互動作によって提供されることができる。ＢＳＳ（ｂａｓｉｃ  ｓｅｒｖｉｃｅ  ｓｅｔ）はＩＥＥＥ  ８０２．１１ＬＡＮで基本構成ブロックに対応することができる。図１で、２個のＢＳＳ（ＢＳＳ１及びＢＳＳ２）が示され、２個のＳＴＡがそれぞれのＢＳＳに含まれる（すなわち、ＳＴＡ１及びＳＴＡ２はＢＳＳ１に含まれ、ＳＴＡ３及びＳＴＡ４はＢＳＳ２に含まれる）。図１のＢＳＳを示す楕円形は該当ＢＳＳに含まれるＳＴＡが通信を維持するカバレージ領域として理解することができる。この領域はＢＳＡ（ｂａｓｉｃ  ｓｅｒｖｉｃｅ  ａｒｅａ）と言える。ＳＴＡがＢＳＡの外に移動すれば、ＳＴＡは該当ＢＳＡ内の他のＳＴＡと直接通信することができない。
【００３５】
ＩＥＥＥ  ８０２．１１ＬＡＮにおいて、ＢＳＳの一番基本的な形態は独立ＢＳＳ（ＩＢＳＳ）である。例えば、ＩＢＳＳは２個のＳＴＡのみで構成される最小形態を有することができる。最も簡単な形態であって他のコンポーネントが省略された図１のＢＳＳ（ＢＳＳ１又はＢＳＳ２）は、ＩＢＳＳの典型的な例に対応することができる。このような構成はＳＴＡが互いに直接通信するときに可能である。このような形態のＬＡＮは前もってスケジュールされず、ＬＡＮが必要なときに構成可能である。これはアドホック（ａｄ−ｈｏｃ）ネットワークと言える。
【００３６】
ＢＳＳ内のＳＴＡのメンバーシップは、ＳＴＡがスイッチオン又はオフされるかＳＴＡがＢＳＳ領域に入るか出るときに動的に変更できる。ＳＴＡは同期化プロセスを用いてＢＳＳに合流（ｊｏｉｎ）することができる。ＢＳＳインフラストラクチャーの全てのサービスをアクセスするために、ＳＴＡはＢＳＳと関連づけられなければならない。このような関連付けは動的に構成されることができ、分配システムサービス（ＤＳＳ；Ｄｉｓｔｒｉｂｕｔｉｏｎ  Ｓｙｓｔｅｍ  Ｓｅｒｖｉｃｅ）の使用を含む。
【００３７】
図２は本発明が適用可能なＩＥＥＥ  ８０２．１１システムの他の例示的な構造を示す図である。図２では、分配システム（ＤＳ）、分配システム媒体（ＤＳＭ；Ｄｉｓｔｒｉｂｕｔｉｏｎ  Ｓｙｓｔｅｍ  Ｍｅｄｉｕｍ）及びアクセスポイント（ＡＰ）が図１の構造に付け加わる。
【００３８】
ＬＡＮ内の直接ＳＴＡ対ＳＴＡの距離はＰＨＹ性能によって制限されることができる。場合によって、このような距離の制限は通信に十分であることもある。しかし、他の場合、ＳＴＡ間の長距離通信が必要なこともある。ＤＳは拡張したカバレージを支援するように構成されることができる。
【００３９】
ＤＳはＢＳＳが互いに接続された構造を示す。特に、ＢＳＳは、図１に示したように、独立構成の代わりに複数のＢＳＳで構成される拡張した形態のネットワークのコンポーネントとして構成されることができる。
【００４０】
ＤＳは論理的概念であり、ＤＳＭの特性によって特定されることができる。これに関連し、無線媒体（ＷＭ）及びＤＳＭはＩＥＥＥ  ８０２．１１で論理的に区別されることができる。それぞれの論理的媒体は相異なる目的で使われ、相異なるコンポーネントによって使われる。ＩＥＥＥ  ８０２．１１の定義において、このような媒体は同じ又は異なった媒体に制限されない。ＩＥＥＥ  ８０２．１１ＬＡＮアーキテクチャー（ＤＳアーキテクチャー又は他のネットワークアーキテクチャー）の柔軟性は、複数の媒体が論理的に違うという点で説明可能である。すなわち、ＩＥＥＥ  ８０２．１１ＬＡＮアーキテクチャーは多様に具現可能であり、それぞれの具現例の物理的特性によって独立的に特定されることができる。
【００４１】
ＤＳは、多数のＢＳＳのシームレス統合（ｓｅａｍｌｅｓｓ  ｉｎｔｅｇｒａｔｉｏｎ）を提供し、アドレスを目的地にハンドリングするのに必要な論理的サービスを提供することによってモバイル装置を支援することができる。
【００４２】
ＡＰは、関連ＳＴＡがＷＭを介してＤＳにアクセスすることができるようにし、ＳＴＡ機能を有するエンティティをいう。データはＡＰを介してＢＳＳ及びＤＳの間で移動することができる。例えば、図２に示したＳＴＡ２及びＳＴＡ３はＳＴＡ機能を有し、関連ＳＴＡ（ＳＴＡ１及びＳＴＡ４）がＤＳをアクセスするようにする機能を提供する。また、全てのＡＰが基本的にＳＴＡに対応するから、全てのＡＰはアドレス可能なエンティティである。ＷＭ上の通信のためにＡＰによって使われるアドレスは、ＤＳＭ上の通信のためにＡＰによって使われるアドレスといつも同一である必要はない。
【００４３】
ＡＰに関連されたＳＴＡの一つからＡＰのＳＴＡアドレスに送信されるデータは制御されない（ｕｎｃｏｎｔｒｏｌｌｅｄ）ポートによっていつも受信されることができ、ＩＥＥＥ  ８０２．１Ｘポートアクセスエンティティによって処理されることができる。制御された（ｃｏｎｔｒｏｌｌｅｄ）ポートが認証されれば、送信データ（又はフレーム）がＤＡに送信されることができる。
【００４４】
図３は本発明が適用可能なＩＥＥＥ  ８０２．１１システムのさらに他の例示的な構造を示す図である。図２の構造に加え、図３は広いカバレージを提供する拡張したサービスセット（ＥＳＳ；Ｅｘｔｅｎｄｅｄ  Ｓｅｒｖｉｃｅ  Ｓｅｔ）を概念的に示す。
【００４５】
任意のサイズ及び複雑度を有する無線ネットワークはＤＳ及びＢＳＳで構成されることができる。ＩＥＥＥ  ８０２．１１システムにおいて、このようなタイプのネットワークをＥＳＳネットワークという。ＥＳＳは一つのＤＳに接続されたＢＳＳセットに対応することができる。しかし、ＥＳＳはＤＳを含まない。ＥＳＳネットワークはＥＳＳネットワークが論理リンク制御（ＬＬＣ）階層でＩＢＳＳネットワークとして現れるという点で特徴がある。ＥＳＳに含まれるＳＴＡは互いに通信することができ、モバイルＳＴＡはＬＬＣで一つのＢＳＳから（同じＥＳＳ内の）他のＢＳＳに透過的に移動可能である。
【００４６】
ＩＥＥＥ  ８０２．１１において、図３のＢＳＳの相対的な物理的位置は想定されず、次の形態が全て可能である。ＢＳＳは部分的に重畳することができ、この形態は一般的に連続的なカバレージを提供するのに使われる。ＢＳＳは物理的に接続されていなくてもよく、ＢＳＳ間の論理的距離は制限がない。ＢＳＳは同じ物理的位置に位置することができ、この形態はリダンダンシを提供するのに使われることができる。一つ以上のＩＢＳＳ又はＥＳＳネットワークは一つ以上のＥＳＳネットワークと同一の空間に物理的に位置することができる。これは、アドホックネットワークがＥＳＳネットワークの存在する位置で動作する場合、相異なる機構（ｏｒｇａｎｉｚａｔｉｏｎｓ）のＩＥＥＥ  ８０２．１１ネットワークが物理的に重畳する場合、あるいは二つ以上の相異なるアクセス及びセキュリティポリシが同じ位置で必要な場合、ＥＳＳネットワーク形態に対応することができる。
【００４７】
図４はＷＬＡＮシステムの例示的な構造を示す図である。図４で、ＤＳを含むインフラストラクチャーＢＳＳの例が示されている。
【００４８】
図４の例で、ＢＳＳ１及びＢＳＳ２はＥＳＳを構成する。ＷＬＡＮシステムで、ＳＴＡはＩＥＥＥ  ８０２．１１のＭＡＣ／ＰＨＹ規定（ｒｅｇｕｌａｔｉｏｎ）によって動作する装置である。ＳＴＡはＡＰ  ＳＴＡ及び非ＡＰ  ＳＴＡを含む。非ＡＰ  ＳＴＡは使用者によって直接ハンドリングされるラップトップコンピュータ又は携帯電話機などの装置に対応する。図４で、ＳＴＡ１、ＳＴＡ３及びＳＴＡ４は非ＡＰ  ＳＴＡに対応し、ＳＴＡ２及びＳＴＡ５はＡＰ  ＳＴＡに対応する。
【００４９】
次の説明で、非ＡＰ  ＳＴＡは、端末、無線送受信ユニット（ＷＴＲＵ）、ＵＥ、モバイルステーション（ＭＳ）、モバイル端末又はモバイル加入者ステーション（ＭＳＳ）という。ＡＰは他の無線通信分野で基地局（ＢＳ）、Ｎｏｄｅ−Ｂ、ｅ−ＮＢ（ｅｖｏｌｖｅｄ  Ｎｏｄｅ−Ｂ）、ＢＴＳ（Ｂａｓｅ  Ｔｒａｎｓｃｅｉｖｅｒ  Ｓｙｓｔｅｍ）、又はフェムトＢＳに対応する概念である。
【００５０】
ＰＰＤＵフォーマット
ＰＰＤＵ（Ｐｈｙｓｉｃａｌ  ｌａｙｅｒ  Ｐｒｏｔｏｃｏｌ  Ｄａｔａ  Ｕｎｉｔ）はＩＥＥＥ  ８０２．１１標準において物理（ＰＨＹ）階層で生成されたデータブロックである。この文書で、‘フレーム’は、他に言及がない限り、 ‘ＰＰＤＵ’という。しかし、同じ意味を有する‘ＰＰＤＵ’という用語は標準化時に変更されることができるから、本発明は‘ＰＰＤＵ’という用語に制限されない。
【００５１】
図５はＩＥＥＥ  ８０２．１１ａｘに対する提案されたＰＰＤＵフォーマットの例を示す図である。
【００５２】
ＰＰＤＵは４個の２０ＭＨｚチャネルを介して合計で８０ＭＨｚの帯域幅で送信されることができる。ＰＰＤＵは少なくとも一つの２０ＭＨｚチャネルを介して送信されることができる。この図は８０ＭＨｚ帯域が単一受信ＳＴＡに割り当てられる例を示す。４個の２０ＭＨｚチャネルが相異なる受信ＳＴＡに割り当てられることができる。
【００５３】
Ｌ−ＳＴＦ、Ｌ−ＬＴＦ及びＬ−ＳＩＧはそれぞれの２０ＭＨｚチャネルで６４個の高速フーリエ変換（ＦＦＴ）ポイント（又は６４個のサブキャリア）に基づいて生成されたＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルで送信されることができる。これらはＩＥＥＥ  ８０２．１１ａ／ｇ／ｎ／ａｃを提供するレガシータイプのＳＴＡのためのものである。
【００５４】
図６は容易な参照のためにＩＥＥＥ  ８０２．１１ａ／ｇ／ｎ／ａｃによる多様なＰＰＤＵフォーマットを示す図である。
【００５５】
ＨＥ−ＳＩＧ  ＡはＰＰＤＵを受信するＳＴＡによって共通して受信される共通制御情報を含むことができる。ＨＥ−ＳＩＧ  Ａは２個又は３個のＯＦＤＭシンボルで送信されることができる。また、ＨＥ−ＳＩＧ  Ａは各２０ＭＨｚ帯域幅ごとに複製されることができる。
【００５６】
次の表はＨＥ−ＳＩＧ  Ａに含まれる情報を示す。フィールドの名前又はビット数はただ例示的なもので、全てのフィールドが必須なものではない。
【００５７】
【表１】
0006463490.tif 000002
【００５８】
ＨＥ−ＳＴＦはＭＩＭＯ送信でＡＧＣ推定を改善するのに使われることができる。ＨＥ−ＬＴＦはＭＩＭＯチャネル推正するのに使われることができる。
【００５９】
ＨＥ−ＳＩＧ  ＢはそれぞれのＳＴＡが自分のデータ（すなわち、物理階層サービスデータユニット（ＰＳＤＵ））を受信するのに必要な使用者特定情報（ｕｓｅｒ−ｓｐｅｃｉｆｉｃ  ｉｎｆｏｒｍａｔｉｏｎ）を含むことができる。ＨＥ−ＳＩＧ  Ｂは１個又は２個のＯＦＤＭシンボルで送信されることができる。例えば、ＨＥ−ＳＩＧ  Ｂは該当ＰＳＤＵの長さ及び該当ＰＳＤＵの変調及びコーディング方式（ＭＣＳ）についての情報を含むことができる。次はＨＥ−ＳＩＧ  Ｂの内容の例である。
【００６０】
【表２】
0006463490.tif 000003
【００６１】
Ｌ−ＳＴＦ、Ｌ−ＬＴＦ、Ｌ−ＳＩＧ及びＨＥ−ＳＩＧ  Ａは２０ＭＨｚチャネル単位で重複して送信されることができる。例えば、ＰＰＤＵが４個の２０ＭＨｚチャネルを介して送信されるとき、Ｌ−ＳＴＦ、Ｌ−ＬＴＦ、Ｌ−ＳＴＧ及びＨＥ−ＳＩＧ  Ａは２０ＭＨｚチャネルごとに重複して送信される。
【００６２】
単位周波数当たりＦＦＴサイズは、ＨＥ−ＳＴＦから（又はＨＥ−ＳＩＧ  Ａから）さらに増加することができる。例えば、２５６ＦＦＴは２０ＭＨｚチャネルで使われることができ、５１２ＦＦＴは４０ＭＨｚチャネルで使われることができ、１０２４ＦＦＴは８０ＭＨｚチャネルで使われることができる。ＦＦＴサイズが増加すれば、ＯＦＤＭサブキャリア間の間隔が減少するから単位周波数当たりＯＦＤＭサブキャリアの数は増加するが、ＯＦＤＭシンボル時間が増加し得る。効率を改善するために、ＨＥ−ＳＴＦ後のＧＩの長さはＨＥ−ＳＩＧ  ＡのＧＩの長さと同一に構成されることができる。
【００６３】
図７はＩＥＥＥ  ８０２．１１ａｘに対する提案されたＰＰＤＵの他の例を示す図である。
【００６４】
ＰＰＤＵ形成は、ＨＥ−ＳＩＧ  ＢがＨＥ−ＳＩＧ  Ａの後に配置されることを除き、図５のＰＰＤＵ形成と同一である。単位周波数当たりＦＦＴサイズはＨＥ−ＳＴＦ（又はＨＥ−ＳＩＧ  Ｂ）の後にさらに増加することができる。
【００６５】
図８はＩＥＥＥ  ８０２．１１ａｘに対する提案されたＰＰＤＵのさらに他の例を示す図である。
【００６６】
ＨＥ−ＳＩＧ  ＢがＨＥ−ＳＩＧ  Ａの後に配置される。２０ＭＨｚチャネルが相異なるＳＴＡ（例えば、ＳＴＡ１、ＳＴＡ２、ＳＴＡ３、及びＳＴＡ４）に割り当てられる。ＨＥ−ＳＩＧ  ＢはそれぞれのＳＴＡに特定の情報を含むが、全帯域にわたってエンコードされる。すなわち、ＨＥ−ＳＩＧ  Ｂは全てのＳＴＡによって受信されることができる。単位周波数当たりＦＦＴサイズはＨＥ−ＳＴＦ（又はＨＥ−ＳＩＧ  Ｂ）の後にさらに増加することができる。
【００６７】
ＦＦＴサイズが増加すれば、レガシーＳＴＡは該当ＰＰＤＵをデコードすることができない従来のＩＥＥＥ  ８０２．１１ａ／ｇ／ｎ／ａｃを支援する。レガシーＳＴＡ及びＨＥ  ＳＴＡの共存のために、Ｌ−ＳＴＦ、Ｌ−ＬＴＦ、及びＬ−ＳＩＧが２０ＭＨｚチャネルで６４ＦＦＴを介して送信されて従来のＳＴＡによって受信されることができる。例えば、Ｌ−ＳＩＧは単一ＯＦＤＭシンボルを占め、単一ＯＦＤＭシンボル時間は４μｓであってもよく、ＧＩは０．８μｓであってもよい。
【００６８】
ＨＥ−ＳＩＧ  ＡはＨＥ  ＳＴＡがＨＥ  ＰＰＤＵをデコードするのに必要な情報を含むが、２０ＭＨｚチャネルで６４ＦＦＴを介して送信されてレガシーＳＴＡ及びＨＥ  ＳＴＡによって受信されることができる。その理由は、ＨＥ  ＳＴＡがＨＥ  ＰＰＤＵに加えて従来のＨＴ／ＶＨＴ  ＰＰＤＵを受信することができるからである。この場合、レガシーＳＴＡ及びＨＥ  ＳＴＡがＨＥ  ＰＰＤＵをＨＴ／ＶＨＴ  ＰＰＤＵから区別する必要があり、その逆も同様である。
【００６９】
図９はＰＰＤＵの分類のための位相回転の例を示す図である。
【００７０】
ＰＰＤＵの分類のために、Ｌ−ＳＴＦ、Ｌ−ＬＴＦ及びＬ−ＳＩＧの後に送信されるＯＦＤＭシンボルの星状（ｃｏｎｓｔｅｌｌａｔｉｏｎ）の位相が使われる。
【００７１】
ＨＴ／ＶＨＴ  ＰＰＤＵの分類のために、Ｌ−ＳＩＧの後に送信される３個のＯＦＤＭシンボルの位相がＨＥ−ＰＰＤＵで使われることができる。ＯＦＤＭシンボル＃１及びＯＦＤＭシンボル＃２の位相は回転しないが、ＯＦＤＭシンボル＃３の位相は反時計方向に９０度回転する。ＢＰＳＫ変調はＯＦＤＭシンボル＃１及びＯＦＤＭシンボル＃２に使われ、ＱＢＰＳＫ変調はＯＦＤＭシンボル＃３に使われる。ＨＥ−ＳＩＧ  ＡがＬ−ＳＩＧの後に３個のＯＦＤＭシンボルで送信されれば、全てのＯＦＤＭシンボル＃１／＃２／＃３がＨＥ−ＳＩＧ  Ａを送信するのに使われると言える。
【００７２】
提案されたＰＰＤＵフォーマットについての前記説明で、ＰＰＤＵは第１タイプのＳＴＡ（すなわち、ＩＥＥＥ  ８０２．１１ａ／ｇ／ｎ／ａｃに対するレガシーＳＴＡ）に対する第１部分（‘Ｌ−ｐａｒｔ’）及び第２タイプのＳＴＡ（すなわち、８０２．１１ａｘ  ＳＴＡ）に対する第２部分（‘ＨＥ−ｐａｒｔ’）を有すると言える。ＨＥ部分（例えば、ＨＥ−ＳＴＦ／ＨＥ−ＬＴＦ／Ｄａｔａ）の一部に対する一つのシンボルデュレーション（ｄｕｒａｔｉｏｎ）はＦＦＴサイズが増加するに従って “Ｘ”倍より大きくなることができる。好ましくは、‘Ｘ’は４となることができるが、柔軟に２、４などとなることができる。“一つのシンボルデュレーション”についての情報はＨＥ  ＳＩＧ  Ａによって知られることができる。
【００７３】
前記説明に基づいてＨＥ−ＬＴＦの送受信方式を説明する。
【００７４】
ＨＥ−ＳＩＧ  Ｂ構造
広帯域チャネルに対する使用者特定情報を含むＨＥ−ＬＴＦを送信する簡単な方式は（ｉ）２０ＭＨｚに対するＨＥ−ＳＩＧ  Ｂの複製（ｄｕｐｌｉｃａｔｉｏｎ）及び（ｉｉ）２０ＭＨｚチャネルのそれぞれに対するＨＥ−ＳＩＧ  Ｂの独立送信に基づくことができる。
【００７５】
第１接近複製（ａｐｐｒｏａｃｈ−ｄｕｐｌｉｃａｔｉｏｎ）に基づく方式
図１０はＨＥ−ＳＩＧ  Ｂの複製を用いた本発明の一例を示す図である。
【００７６】
ＨＥ−ＳＩＧ  Ｂが図１０のように８０ＭＨｚチャネルを介して送信されるとき、２０ＭＨｚに対するＨＥ−ＳＩＧ  Ｂのシグナリング情報が８０ＭＨｚチャネルを介して４回複製されることができる。この場合、複製されたＨＥ−ＳＩＧ  Ｂを受信するＳＴＡ／ＡＰは多数のＨＥ−ＳＩＧ  Ｂ信号を蓄積して信頼性を増加させる。
【００７７】
ＳＴＡ／ＡＰがＨＥ−ＳＩＧ  Ｂの複製された信号を蓄積するから、受信された信号の利得が改善することができる。例えば、ＨＥ−ＳＩＧ  Ｂが４０ＭＨｚチャネルを介して送信されれば、ＨＥ−ＳＩＧ  Ｂが２回送信され、ＳＴＡ／ＡＰが３ｄＢの利得を得ることができる。ＨＥ−ＳＩＧ  Ｂが８０ＭＨｚチャネルを介して送信されれば、これを受信したＳＴＡ／ＡＰは６ｄＢの利得を得ることができる。
【００７８】
それで、ＨＥ−ＳＩＧ  Ｂを送信するＳＴＡ／ＡＰは非複製の場合と比較してもっと高いＭＣＳレベルで送信することができる。もちろん、ＭＣＳレベルそのものは送信ＳＴＡ／ＡＰ及び受信ＳＴＡ／ＡＰの間のチャネル状態に基づいて決定されることができるが、ＨＥ−ＳＩＧ  Ｂの複製はＭＣＳレベルの決定でさらに考慮されることができる。
【００７９】
一例として、ＨＥ−ＳＩＧ  Ｂに使われるＭＣＳレベルはＳＴＡ／ＡＰによって受信されて蓄積されたＲＴＳ／ＣＴＳフレームの信号に基づいて決定されることができる。しかし、これはＨＥ−ＳＩＧ  ＢのＭＣＳレベルを決定するためのＲＴＣ／ＣＴＳフレームとして制限されない。ＳＴＡ／ＡＰは複製方式で受信された他の信号をＨＥ−ＳＩＧ  Ｂとして用いることができる。
【００８０】
複製されたＨＥ−ＳＩＧ  Ｂを受信するＳＴＡ／ＡＰがそれを蓄積すれば、ＳＴＡ／ＡＰは特定レベルの干渉レベルをさらに考慮することができる。例えば、ＳＴＡ／ＡＰがＨＥ−ＳＩＧ  Ｂ以外の複製された信号（例えば、ＨＥ−ＳＩＧ  Ａ又はＨＥ−ＳＩＧ  Ａ内のパイロット信号）を受信すれば、ＳＴＡ／ＡＰは特定の２０ＭＨｚチャネルの干渉レベルが閾値より高いと決定することができる。この場合、ＳＴＡ／ＡＰは他の２０ＭＨｚチャネルのＨＥ−ＳＩＧ  Ｂ信号を蓄積しながら特定の２０ＭＨｚチャネルを介して受信されたＨＥ−ＳＩＧ  Ｂ信号を排除することができる。特定チャネルの干渉はＨＥ−ＳＩＧ  Ａ又はＨＥ−ＳＩＧ  Ｂ内のパイロット信号を用いて自己相関（ａｕｔｏ−ｃｏｒｒｅｌａｔｉｏｎ）に基づいて決定されることができる。
【００８１】
信号を受信したＳＴＡ／ＡＰはプライマリーチャネルを介して受信されたＨＥ−ＳＩＧ  ＡのＲＳＳＩ及びプライマリーチャネル以外の他のチャネルを介して受信されたＨＥ−ＳＩＧ  ＡのＲＳＳＩに基づいて干渉レベルを決定することができる。そのチャネルの干渉レベルが閾値を超えれば、そのチャネルを介して受信されたＨＥ−ＳＩＧ  Ｂが蓄積しない。
【００８２】
他の例で、ＳＴＡ／ＡＰはＬ−ＬＴＦを使って干渉レベルを決定することができる。特定チャネルの干渉レベルが閾値を超えれば、そのチャネルを介して受信されたＨＥ−ＳＩＧ  Ｂは蓄積しない。
【００８３】
ＨＥ−ＳＩＧ  Ａは一つのシンボル信号であってもよく、それぞれのＨＥ−ＳＩＧ  Ａシンボルは４個のパイロットトーン（ｔｏｎｅ）を含むことができる。ここで、それぞれのシンボルは相異なるパイロットパターンを使うことができる。一実施例で、ＨＥ−ＳＩＧ  Ａのパイロットパターンの組合せはＨＥ−ＳＩＧ  Ｂシンボルの数を示すことができる。例えば、ＨＥ−ＳＩＧ  Ａに対するシンボルが２であり、パイロットシーケンスの長さが４であれば、４個の直交パイロットシーケンスがアダマール（Ｈａｄａｍａｒｄ）マトリックスに基づいて使われることができる。
【００８４】
パイロットシーケンス＝（１，１，１，１），（１，−１，１，−１），（１，１，−１，−１），（１，−１，−１，１）
【００８５】
これに基づき、ＨＥ−ＳＩＧ  Ｂシンボルの数が次のように指示されることができる：
【００８６】
【表３】
0006463490.tif 000004
【００８７】
この方式を用いることにより、ＨＥ−ＳＩＧ  Ａ及びプリアンブル上のオーバーヘッドが減少することができる。
【００８８】
他の実施例で、ＨＥ−ＳＩＧ  Ａシンボルのパイロットパターンの組合せはＨＥ−ＳＩＧ  Ｂの保護区間（ＧＩ）などの他のチャネル構成情報を示すことができる。チャネル構成情報はそれぞれの２０ＭＨｚチャネルために構成されることができる。一例として、ＨＥ−ＳＩＧ  Ａの第１シンボルのパイロットパターンは利用可能なチャネル帯域幅を示すことができ、第１及びその次のシンボルのパイロットパターンの組合せはチャネル帯域幅内のチャネル構成情報を示す。
【００８９】
第２接近独立送信方式
図１１はＨＥ−ＳＩＧ  Ｂの独立送信を用いた本発明の他の例を示す図である。
【００９０】
図１１のようにＨＥ−ＳＩＧ  Ｂが８０ＭＨｚチャネルを介して送信されれば、２０ＭＨｚに対するＨＥ−ＳＩＧ  Ｂのシグナリング情報がそれぞれの２０ＭＨｚチャネルごとに独立的に構成されることができる。
【００９１】
図１１に示したように、ＨＥ−ＳＩＧ  Ｂはレガシー部分（例えば、Ｌ＿ＳＴＦ、Ｌ−ＬＴＦ及びＬ−ＳＩＧ）のように１ｘ構造を持って送信されることができる。時間ドメイン内のＬ−ＳＴＦ＋Ｌ−ＬＴＦ＋Ｌ−ＳＩＧ＋ＨＥ−ＳＩＧ  Ａ及びＨＥ−ＳＩＧ  Ｂの長さは広帯域幅の状況で２０ＭＨｚチャネルで互いに同一であろう。
【００９２】
しかし、上述したように、ＨＥ−ＳＩＧ  Ｂのシグナリング情報は使用者特定情報を含む。ＨＥ−ＳＩＧ  Ｂのシグナリング情報が独立的に構成されれば、それぞれのＨＥ−ＳＩＧ  Ｂの長さは時間ドメインで異なってもよい。
【００９３】
図１２〜図１４はそれぞれのＨＥ−ＳＩＧ  Ｂのシグナリング情報が時間ドメインで相異なる長さを有するときの問題点に対する解決策を示す図である。
【００９４】
図１２に示したように、それぞれのＨＥ−ＳＩＧ  Ｂシグナリング情報の時間ドメインの長さを調節するために、パッディングが使われることができる。パッディングの長さは４個のＨＥ−ＳＩＧ  Ｂシグナリング情報のうち最大長に基づいて決定されることができる。
【００９５】
また、図１３の左側に示したように、パッディングはＨＥ−ＳＩＧ  Ｂシグナリング情報の第１部分の複製（ｃｏｐｙ）に基づいて生成されることができる。若しくは、図１３の右側に示したように、パッディングはＨＥ−ＳＩＧ  Ｂシグナリングの最後部分の複製に基づいて生成されることができる。複製の長さは上述したように決定されることができる。パッディングを有するＨＥ−ＳＩＧ  Ｂシグナリング情報を受信することにより、それを受信したＳＴＡ／ＡＰは信号を蓄積してその信頼性を高めることができる。
【００９６】
ＨＥ−ＳＩＧ  Ｂのシグナリング情報のエンコーディングはコンボリューションコーディング（ＣＣ）を用いて行われることができる。よって、このエンコーディングのテールビット（ｔａｉｌ  ｂｉｔ）は図１４に示したように付け加わることができる。ＨＥ−ＳＩＧ  Ｂのデコーディングは決定されたＨＥ−ＳＩＧ  Ｂ長さ内でだけ行われることができる。
【００９７】
同じ信号がパッディングされれば、ＰＡＰＲが増加することができる。よって、一例で、パッディングはランダムシーケンス又は直交シーケンスを用いて行われることができる。
【００９８】
ＨＥ−ＳＩＧ  Ｂがレガシー部分（例えば、ＭＣＳ  ０及びＢＰＳＫ、１／２コーディング及び６Ｍｂｐｓデータレート）と同一の数（ｎｕｍｅｒｏｌｏｇｙ）を用いて送信されれば、ＨＥ−ＳＩＧ  Ｂ情報ビットの長さは２４ビット（又は２６ビット）の倍数であってもよい。よって、各チャネルのパッディングビット長さは次に基づいて獲得されることができる。
【００９９】
【表４】
0006463490.tif 000005
【０１００】
ここで、“ＣＲＣビット”は４〜８ビットであってもよく、“テールビット”は６ビットであってもよい。
【０１０１】
ＨＥ−ＳＩＧ  ＢはＭＣＳ  ０以外の異なるＭＣＳを用いて送信されることができる。この場合、パッディング長さはＭＣＳレベルを考慮して決定されることができる。
【０１０２】
【表５】
0006463490.tif 000006
【０１０３】
他の例で、それぞれのＨＥ−ＳＩＧ  Ｂチャネル時間ドメイン長さを調節（ａｌｉｇｎ）するために、ＨＥ−ＳＩＧ  Ｂのシグナリング情報は所定長さに基づいて繰り返されることができる。長さは全てのＨＥ−ＳＩＧ  Ｂの最大長さ又はＨＥ−ＳＩＧ  Ｂの最小共通倍数に基づいて決定されることができる。この繰り返されたＨＥ−ＳＩＧ  Ｂを受信するＳＴＡ／ＡＰは上述したように信頼性を向上させることができる。
【０１０４】
ＨＥ−ＳＩＧ  Ａ及びＨＥ−ＳＩＧ  Ｂのシグナリング情報
上述したように、ＨＥ−ＳＩＧ  Ａは共通制御情報を含み、ＨＥ−ＳＩＧ  Ｂは使用者特定制御情報を含む。しかし、ＨＥ−ＳＩＧ  Ｂもまた共通部分及び使用者特定部分を有するように構成されることができる。
【０１０５】
ＨＥ−ＳＩＧ  ＡはＨＥ−ＳＩＧ  Ｂに対するシンボルの数及びそれぞれのＨＥ−ＳＩＧ  Ｂの帯域幅などのＨＥ−ＳＩＧ  Ｂの構成情報を含むことができる。この情報は上述したようにＨＥ−ＳＩＧ  Ａのパイロットパターンの組合せに基づいて伝達することができる。
【０１０６】
ＨＥ−ＳＩＧ  Ｂが２０ＭＨｚチャネル独立的に構成されれば、これらの構成情報はＨＥ−ＳＩＧ  Ａによって知られることができる。しかし、他の例で、その情報はＨＥ−ＳＩＧ  Ｂの共通部分に基づいて知られることができる。受信ＳＴＡ／ＡＰはＨＥ−ＳＩＧ  Ａ内のＨＥ  ＳＩＧ  Ｂ位置情報（例えば、ＨＥ−ＳＩＧ  ＢのＢＷ）又はＨＥ−ＳＩＧ  Ｂの共通部分に基づいてブラインドデコーディングオーバーヘッドを避けることができる。
【０１０７】
図１５はＨＥ−ＳＩＧ  Ｂ位置情報をシグナルする例を示す図である。
【０１０８】
図１５に示したように、ＨＥ−ＳＩＧ  Ｂ位置情報はＳＴＡのグループＩＤ（ＧＩＤ）に基づいてシグナルされることができる。しかし、それぞれのＳＴＡのＰＩＤもまた使われることができる。
【０１０９】
図１５で、ＧＩＤ  ０はＳＴＡ  ０及びＳＴＡ  １に対するものであり、これは第１ＨＥ−ＳＩＧ  Ｂの位置を知らせる。ＧＩＤ  １はＳＴＡ  ３、４及び５に対するものであり、ＧＩＤ  ２はＳＴＡ  ６に対するものであり、ＧＩＤ  ３はＳＴＡ  ７、８及び２に対するものである。しかし、これはただ構成例である。
【０１１０】
一方、ＧＩＤ（又はＰＩＤ）及びチャネル指示ビット間のマッピング関係が前もって決定されることができる。この前もって決定されたマッピング関係を用いることにより、チャネルはＳＴＡのそれぞれ（グループ）にもっと柔軟に割り当てられることができる。
【０１１１】
図１６はチャネル指示ビット及びＧＩＤ間のマッピング関係を用いる例を示す図である。
【０１１２】
最大帯域幅が８０ＭＨｚであれば、４個の２０ＭＨｚチャネルが存在し、チャネル指示ビットが２ビットの長さを有することができる。次の表はチャネル指示ビットの一例を示す。
【０１１３】
【表６】
0006463490.tif 000007
【０１１４】
このチャネル指示ビットを用いて、図１６に示したように、ＨＥ−ＳＩＧ  ＢのチャネルがＳＴＡのそれぞれ（グループ）にもっと柔軟に割り当てられることができる。チャネル指示ビットはＢＳＳ可能ＢＷ（ＢＳＳ  ｃａｐａｂｌｅ  ＢＷ）に基づいて異なって決定され、ＢＳＳごとに異なることができる。しかし、１１ａｘシステムによって支援される最大帯域幅に基づいて共通して決定されることができる。
【０１１５】
（複製（ｄｕｐｌｉｃａｔｉｏｎ）及び独立送信を用いた）第３接近ハイブリッド方式
本発明の好適な実施例において、ＨＥ−ＳＩＧ  Ｂのシグナリング情報は特定の帯域幅内で独立的に構成されるが、同じ帯域幅の他のチャネルで複製されることができる。
【０１１６】
図１７は本発明の好適な実施例の一例を示す。
【０１１７】
図１７に示したように、４０ＭＨｚに対するＨＥ−ＳＩＧ  Ｂのシグナリング情報は上述した第２接近のように２０ＭＨｚチャネルに対するＨＥ−ＳＩＧ  Ｂの２個の独立シグナリング情報を含む。しかし、最大帯域幅が８０ＭＨｚであれば、第１の４０ＭＨｚチャネルに対するＨＥ−ＳＩＧ  Ｂのシグナリング情報が第２の４０ＭＨｚチャネル上に複製される。例えば、２０ＭＨｚチャネルに対する２個の独立シグナリング情報が‘Ａ’及び‘Ｂ’として識別されれば、８０ＭＨｚチャネルに対するシグナリング情報は、図１７に示したように、‘Ａ’、‘Ｂ’、‘Ａ’及び‘Ｂ’であろう。
【０１１８】
ＨＥ−ＳＩＧ  Ｂの割当て情報がそのチャネルを介して送信されたＨＥ−ＳＩＧ  Ｂ内に含まれることができる。例えば、第１及び第３チャネルを介して送信されるＨＥ−ＳＩＧ  Ｂは第１及び第３の２０ＭＨｚチャネルの割当て情報を含むことができる。ＨＥ−ＳＩＧ  Ｂ割当て情報のそれぞれは２０ＭＨｚチャネルに対する２６ユニット、５２ユニット、１０８ユニット及び２４２ユニットのような可変ＲＵサイズを用いて構成されることができる。
【０１１９】
一方、第１の２０ＭＨｚチャネルを介して送信されたＨＥ−ＳＩＧ  Ｂはデータ部分の第１の４０ＭＨｚについての割当て情報を含むことができる。この場合、割当て情報は、基本チャンク（ｃｈｕｎｋ）として４０ＭＨｚを考慮して２６ユニット、５２ユニット、１０８ユニット及び２４２ユニットのような可変ＲＵサイズを用いて構成されるか、あるいは２０ＭＨｚチャネルごとに２６ユニット、５２ユニット、１０８ユニット及び２４２ユニットのような可変ＲＵサイズを用いて構成されることができる。
【０１２０】
割当て情報とそれぞれのＨＥ−ＳＩＧ  Ｂの間の前記マッピング関係はただ例示的なものである。また、４０ＭＨｚチャネル内の独立信号の位置は変更可能である。
【０１２１】
４０ＭＨｚ信号を複製することにより、エンコーダ及びデコーダの数は２であってもよく、よって構成が容易である。
【０１２２】
図１８は本発明の好適な実施例の他の例を示す。
【０１２３】
図１８で、２０ＭＨｚチャネルに対するＨＥ−ＳＩＧ  Ｂのシグナリング情報が第１の４０ＭＨｚチャネル内で複製される。しかし、第２の４０ＭＨｚチャネルに対するＨＥ−ＳＩＧ  Ｂのシグナリング情報は第１の４０ＭＨｚに対するＨＥ−ＳＩＧ  Ｂのシグナリング情報と独立的であってもよい。例えば、２０ＭＨｚチャネルに対する２個の独立シグナリング情報が‘Ａ’及び‘Ｂ’として識別されれば、８０ＭＨｚチャネルに対するシグナリング情報は、図１８に示したように、‘Ａ’、‘Ａ’、‘Ｂ’及び‘Ｂ’であろう。
【０１２４】
図１９は本発明の好適な実施例の一例を示す。特に、図１９は最大帯域幅が１６０ＭＨｚの場合を示す。
【０１２５】
図１７について説明した原理がやはりこの場合にも適用される。すなわち、４０ＭＨｚチャネルに対するＨＥ−ＳＩＧ  Ｂのシグナリング情報は２０ＭＨｚチャネルに対するＨＥ−ＳＩＧ  Ｂの２個の独立シグナリング情報を含むことができる。しかし、最大帯域幅が１６０ＭＨｚであれば、第１の４０ＭＨｚチャネルに対するＨＥ−ＳＩＧ  Ｂのシグナリング情報は第２、第３及び第４の４０ＭＨｚチャネル上で複製される。
【０１２６】
例えば、２０ＭＨｚチャネルに対する２個の独立シグナリング情報が‘Ａ’及び‘Ｂ’として識別されれば、１６０ＭＨｚチャネルに対するシグナリング情報は、図１９に示したように‘Ａ’、‘Ｂ’、‘Ａ’、‘Ｂ’、‘Ａ’、‘Ｂ’、‘Ａ’及び ‘Ｂ’であろう。
【０１２７】
８０ＭＨｚと同一の構造を使うことにより、エンコーダ及びデコーダのサイズが同一になることができる。また、ハイブリッド方式を用いることにより、柔軟性及び単純性の両者が達成できる。
【０１２８】
図２０〜図２３は本発明の好適な実施例の他の例を示す。
【０１２９】
図２０〜図２３は最大帯域幅が１６０ＭＨｚの場合に対するものである。前記‘Ａ’及び ‘Ｂ’の同じ定義を用いて、図２０は‘Ａ’、‘Ａ’、‘Ａ’、‘Ａ’、‘Ｂ’、‘Ｂ’、‘Ｂ’及び‘Ｂ’構造を示し、図２１は‘Ａ’、‘Ａ’、‘Ｂ’、‘Ｂ’、‘Ａ’、‘Ａ’、‘Ｂ’及び‘Ｂ’構造を示し、図２２は‘Ａ’、‘Ｂ’、‘Ｃ’、‘Ｄ’、‘Ａ’、‘Ｂ’、‘Ｃ’及び‘Ｄ’構造を示し、図２３は‘Ａ’、‘Ａ’、‘Ｂ’、‘Ｂ’、‘Ｃ’、‘Ｃ’、‘Ｄ’及び‘Ｄ’構造を示す。
【０１３０】
図２４は本発明の好適な実施例によるフレームの詳細構造を示す。
【０１３１】
図２４に示したように、ＨＥ−ＳＩＧ  Ｂは共通部分及び使用者特定部分を含むことができる。共通部分は共通制御情報を示す共通ビット及びその後のテールビットを含むことができる。使用者特定部分はそれぞれの使用者に特定されたシグナリング情報を有することができる。
【０１３２】
好ましくは、２人の使用者が一緒にグルーピングされ、ＨＥ−ＳＩＧ−Ｂの使用者特定区間でそれぞれのＢＣＣブロックで共同にエンコードされる。最後の使用者情報の直後に（使用者の数が奇数であるか偶数であるかに関係なく）テールビットが続き、パッディングビットはこれらテールビットの後にだけ加わることができる。
【０１３３】
一例として、ＣＲＣが図２４に示したように付け加わることができるが、省略することもできる。
【０１３４】
パッディングビットを有するＨＥ−ＳＩＧ  ＢフィールドがＳＴＡによって受信されれば、ＳＴＡがテールビットまでデコードすることが良いであろう。すなわち、ＳＴＡはパッディングビットまでデコードしようとする必要はない。
【０１３５】
図２５は本発明の実施例による無線装置のブロック図である。
【０１３６】
ＳＴＡ１０は、プロセッサ１１、メモリ１２及びトランシーバ１３を含むことができる。トランシーバ１３は無線信号を送受信することができ、例えば、ＩＥＥＥ  ８０２システムの物理階層を具現することができる。プロセッサ１１はトランシーバ１３に接続され、ＩＥＥＥ  ８０２システムの物理階層及び／又はＭＡＣ階層を具現する。プロセッサ１１は本発明の上述した多様な実施例によって動作を行うように構成されることができる。また、本発明の多様な実施例によって動作するモジュールはメモリ１２に記憶されプロセッサ１１によって実行されることができる。メモリ１２はプロセッサ１１の内部又は外部に配置されることができ、公知の手段によってプロセッサ１１に接続されることができる。
【０１３７】
図２５で、本発明の実施例によるＳＴＡ１０は応答プロセスを行うように構成されることができる。プロセッサ１１は応答を要求するフレーム（ＰＰＤＵ）をトランシーバ１３を介して他のＳＴＡに送信するように構成されることができる。
【０１３８】
上述した装置の特定構成は本発明の上述した多様な実施例が独立的に適用されるかあるいは２個以上の実施例が同時に適用されるように具現可能である。明確にするために、繰り返し説明は省略する。
【０１３９】
本発明の実施例は多様な手段、例えばハードウェア、ファームウエア、ソフトウェア又はこれらの組合せのような多様な手段によって具現されることができる。
【０１４０】
ハードウェア設定において、本発明の実施例による方法は、一つ以上のＡＳＩＣ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰ（ｄｉｇｉｔａｌ  ｓｉｇｎａｌ  ｐｒｏｃｅｓｓｏｒｓ）、ＤＳＰＤ（ｄｉｇｉｔａｌ  ｓｉｇｎａｌ  ｐｒｏｃｅｓｓｉｎｇ  ｄｅｖｉｃｅｓ）、ＰＬＤ（ｐｒｏｇｒａｍｍａｂｌｅ  ｌｏｇｉｃ  ｄｅｖｉｃｅｓ）、ＦＰＧＡ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現可能である。
【０１４１】
ファームウエア又はソフトウェア設定において、本発明の実施例による方法は以上で説明した機能又は動作を行うモジュール、過程、関数などの形態に具現可能である。ソフトウェアコードはメモリユニットに記憶されプロセッサによって実行されることができる。前記メモリユニットは前記プロセッサの内部又は外部に位置することができ、多様な公知の手段を介して前記プロセッサとデータをやりとることができる。
【産業上の利用可能性】
【０１４２】
本発明の多様な実施例はＩＥＥＥ  ８０２．１１システムと関連して説明したが、本発明はまた同じ方式で多様な無線通信システムに適用可能である。
【図１】
0006463490.tif 000008
【図２】
0006463490.tif 000009
【図３】
0006463490.tif 000010
【図４】
0006463490.tif 000011
【図５】
0006463490.tif 000012
【図６】
0006463490.tif 000013
【図７】
0006463490.tif 000014
【図８】
0006463490.tif 000015
【図９】
0006463490.tif 000016
【図１０】
0006463490.tif 000017
【図１１】
0006463490.tif 000018
【図１２】
0006463490.tif 000019
【図１３】
0006463490.tif 000020
【図１４】
0006463490.tif 000021
【図１５】
0006463490.tif 000022
【図１６】
0006463490.tif 000023
【図１７】
0006463490.tif 000024
【図１８】
0006463490.tif 000025
【図１９】
0006463490.tif 000026
【図２０】
0006463490.tif 000027
【図２１】
0006463490.tif 000028
【図２２】
0006463490.tif 000029
【図２３】
0006463490.tif 000030
【図２４】
0006463490.tif 000031
【図２５】
0006463490.tif 000032